(57)【特許請求の範囲】
【請求項１】
ＭＲＩ誘導冷凍外科手術のためのシステムであって、
（ａ）ＭＲＩマグネット（５０）を備えた患者を収容するためのＭＲＩ室（５４）と、
（ｂ）前記ＭＲＩ室の外に配置されて少なくとも一つの外科手術用器具（２）を遠隔制御するためのリモートコントロールユニット（４５）と、
（ｃ）ガス管（５，１２）と、
（ｄ）前記リモートコントロールユニット（４５）を制御することにより、前記外科手術用器具の機能性を制御する制御部（７１ａ、７１ｂ、７１ｃ、７１ｄ）を有する前記外科手術用器具と、を有し、
前記リモートコントロールユニット（４５）は、
ｉ）高圧ガスを収容するガス容器（３４）と、
ｉｉ）外部ガス管（２６）を前記ガス容器に連結するための連結部（２８）を有したインターフェース要素（３０）とを備え、
前記ガス管（５，１２）は、
ｉ）前記外科手術用器具を連結するための少なくとも一つの連結部（８）を有したインターフェース要素（６）を備え、前記ＭＲＩ室内に位置する第一端と、
ｉｉ）前記外部ガス管を介して前記ガス容器に連結するための少なくとも一つの連結部（２４）を有したもう一つのインターフェース要素（２０）を備え、前記ＭＲＩ室の外に位置する第二端とから構成されるシステム。
【請求項２】
前記リモートコントロールユニット（４５）は、前記外科用手術器具（２）の前記制御部（７１ａ、７１ｂ、７１ｃ、７１ｄ）からの電子コマンドに応答して前記ガス容器（３４）からのガスを前記外科用手術用器具に選択的かつ制御可能に供給することにより、前記外科用手術用器具の冷却または加熱の操作が可能であることを特徴とする請求項１記載のシステム。
【請求項３】
前記外科手術用器具（２）は、外科医が握るための保持部材（７２）と前記保持部材に連結された手術用チップ（７４）とを備え、前記保持部材（７２）は前記制御部（７１ａ、７１ｂ、７１ｃ、７１ｄ）を備え、前記制御部は外科医が前記手術用チップを操作するための入力部の機能も備えることを特徴とする請求項１または請求項２に記載のシステム。
【請求項４】
ＭＲＩ誘導冷凍外科手術のためのシステムであって、
（ａ）ＭＲＩマグネット（５０）を備えた患者を収容するためのＭＲＩ室（５４）と、
（ｂ）前記ＭＲＩ室の外に配置されて外科手術用器具を遠隔制御するためのリモートコン
トロールユニット（４５）と、
（ｃ）ガス管（５，１２）とからなり、
前記リモートコントロールユニット（４５）は、
ｉ）高圧ガスを収容するガス容器（３４）と、
ｉｉ）外部ガス管（２６）を前記ガス容器に連結するための連結部（２８）を有したインターフェース要素（３０）とを備え、
前記ガス管（５，１２）は、
ｉ）前記外科手術用器具を連結するための少なくとも一つの連結部（８）を有したインターフェース要素（６）を備え、前記ＭＲＩ室内に位置する第一端と、
ｉｉ）前記外部ガス管を介して前記ガス容器に連結するための少なくとも一つの連結部（２４）を有したもう一つのインターフェース要素（２０）を備え、前記ＭＲＩ室の外に位置する第二端とを有し、
前記リモートコントロールユニットは、前記外科手術用器具が前記ＭＲＩ室内にあるときには、前記外科手術用器具からの電子コマンド（７１ａ、７１ｂ、７１ｃ，７１ｄ）に応答して前記外科手術用器具の冷却制御可能であることを特徴とするシステム。
【請求項５】
ＭＲＩ誘導冷凍外科手術のためのシステムであって、
（ａ）ＭＲＩマグネット（５０）を備えた患者を収容するためのＭＲＩ室（５４）と、
（ｂ）前記ＭＲＩ室の外に配置されて少なくとも一つの外科手術用器具（２）を遠隔制御するためのリモートコントロールユニット（４５）と、
（ｃ）ガス管（５，１２）と、
（ｄ）外科医が握るための保持部材（７２）と前記保持部材に連結された手術用チップ（７４）とを備える外科手術用器具（２）と、を有し、
前記リモートコントロールユニット（４５）は、
ｉ）高圧ガスを収容するガス容器（３４）と、
ｉｉ）外部ガス管（２６）を前記ガス容器に連結するための連結部（２８）を有したインターフェース要素（３０）と、
ｉｉｉ）制御部（４３）とを備え、
前記ガス管（５，１２）は、
ｉ）前記外科手術用器具を連結するための少なくとも一つの連結部（８）を有したインターフェース要素（６）を備え、前記ＭＲＩ室内に位置する第一端と、
ｉｉ）前記外部ガス管を介して前記ガス容器に連結するための少なくとも一つの連結部（２４）を有したもう一つのインターフェース要素（２０）を備え、前記ＭＲＩ室の外に位置する第二端とから構成され、
前記外科用手術器具（２）は、前記保持部材（７２）に外科医が前記手術用チップを操作するための入力部（７１ａ、７１ｂ、７１ｃ、７１ｄ）を備え、前記入力部への入力操作により、前記コントロールユニットの前記制御部へ操作指示を送り前記制御部を介して前記手術用チップを制御する機能と前記ガス容器からのガスを前記手術用チップに供給する機能とを有するシステム。
【請求項６】
ＭＲＩ誘導冷凍外科手術のためのシステムであって、
（ａ）ＭＲＩマグネット（５０）を備えた患者を収容するためのＭＲＩ室（５４）と、
（ｂ）前記ＭＲＩ室の外に配置されたリモートコントロールユニット（４５）と、ガス管（５，１２）と、前記ＭＲＩ室の内部に配置される外科手術用器具（２）と、を備える外科手術装置と、を有し、
前記リモートコントロールユニット（４５）は、
ｉ）高圧ガスを収容するガス容器（３４）と、
ｉｉ）外部ガス管（２６）を前記ガス容器に連結するための連結部（２８）を有したインターフェース要素（３０）と、
ｉｉｉ）制御部（４３）とを備え、
前記ガス管（５，１２）は、
ｉ）前記外科手術用器具を連結するための少なくとも一つの連結部（８）を有したインターフェース要素（６）を備え、前記ＭＲＩ室内に位置する第一端と、
ｉｉ）前記外部ガス管を介して前記ガス容器に連結するための少なくとも一つの連結部（２４）を有したもう一つのインターフェース要素（２０）を備え、前記ＭＲＩ室の外に位置する第二端とを備え、
前記外科用手術器具（２）は、（ｄ）外科医が握るための保持部材（７２）と前記保持部材に連結された手術用チップ（７４）とを備え、
前記保持部材（７２）には外科医が前記手術用チップを操作するための入力部（７１ａ、７１ｂ、７１ｃ、７１ｄ）を備え、前記入力部への入力操作により、前記リモートコントロールユニットの前記制御部へ操作指示を送り、前記制御部を介して前記外科手術装置の作動を制御するとともに前記手術用チップの冷却および操作を行うシステム。
【請求項７】
前記ガス管が、前記ＭＲＩ室に固定配置されている請求項１から請求項６のいずれかに記載のシステム。
【請求項８】
前記ガス管の少なくとも一部が、前記ＭＲＩ室の床下地中を通って設けられている請求項７に記載のシステム。
【請求項９】
前記リモートコントロールユニットが、移動ハウジング（３６）を有する請求項１から請求項６のいずれかに記載のシステム。
【請求項１０】
前記ガス容器が、前記リモートコントロールユニット内に設けられている請求項１から請求項６のいずれかに記載のシステム。
【発明の詳細な説明】
【０００１】
【発明の属する技術分野】
本発明は、ＭＲＩ（核磁気共鳴映像法）監視誘導冷凍外科手術のためのシステム及び方法に関する。特に、本発明は、開放型ＭＲＩマグネットの影響下において、外科医が、比較的に複雑な冷凍外科手術を安全に、そして簡単に行うことができ、正確な、そしてアーチファクトのない画像を得ることによって冷凍外科手術の有効な誘導を可能にするシステム及び方法を提供する。
【０００２】
現在、ＭＲＩ監視誘導外科手術は、「開放型ＭＲＩ」装置を用いることによって行われている。この場合、ＭＲＩマグネットは、外科医が患者にアクセスできるように開口部を備えている。
【０００３】
しかしながら、このようなＭＲＩ環境内における外科手術は、ＭＲＩマグネットの（およそ０.５から２テスラの）強い磁場を受けやすい。したがって、ＭＲＩ室内において用いることが可能な外科手術用器具の範囲はかなり限られている。
【０００４】
ＭＲＩマグネットの磁場に影響を受けにくい外科手術の方法及び装置を提供することによって、ＭＲＩ室内において外科医が複雑な外科手術を行うことができるようにするための種々の試みがなされている。
【０００５】
このような試みのほとんどは、ＭＲＩマグネットの磁場に影響を受けず、画像に干渉するアーチファクトの発生が最小になるコンパチブルな素材から形成される外科手術用器具の開発に向けられている。
【０００６】
【発明が解決しようとする課題】
しかしながら、従来の技術では、有効なＭＲＩ誘導冷凍外科手術を行うための方法及び装置を提供するに至っていない。
【０００７】
現在、冷凍外科手術は、液体窒素を用いることによって行われている。このような液体窒素を、ＭＲＩ誘導冷凍外科手術に用いるには、ＭＲＩ室内に、液体窒素の容器及び適切な制御システムを据えることが必要となるため、このような冷凍外科システムをＭＲＩマグネットの強い影響下にさらすことになる。
【０００８】
このような液体窒素冷凍外科システムをＭＲＩマグネットから遠ざけることができる範囲は、容器から手術用チップまで液体窒素を供給する管は凍って固縮する傾向があるため、かなり限定され、外科医による手術用チップの扱いはかなり制限されることになる。したがって、液体窒素等の液化ガスを適用するＭＲＩ誘導冷凍外科手術は、かなり限定され、ほとんど不可能な状態である。
【０００９】
したがって、外科医が、安全に、そして手軽にＭＲＩを行うことが可能な、ＭＲＩ誘導冷凍外科手術の方法及びシステムの必要性は広く認識されており、そのような方法及びシステムを得ることは大変有益である。
【００１０】
さらに、ＭＲＩマグネットの影響を受けずに正確でアーチファクトのない画像を得ることが可能で、外科医が複雑な冷凍外科手術を行うことが可能なシステム及び方法が必要であることは明らかである。
【００１１】
【課題を解決するための手段】
第一の本発明によれば、ＭＲＩ誘導冷凍外科手術のためのシステムが提供される。このシステムは、（ａ）ＭＲＩマグネット（５０）を備えた患者を収容するためのＭＲＩ室（５４）と、（ｂ）前記ＭＲＩ室の外に配置されて少なくとも一つの外科手術用器具（２）を遠隔制御するためのリモートコントロールユニット（４５）と、（ｃ）ガス管（５，１２）と、リモートコントロールユニット（４５）を制御することにより、外科手術用器具の機能性を制御する制御部（７１ａ、７１ｂ、７１ｃ、７１ｄ）を有する外科手術用器具と、を有して構成される。そして、前記リモートコントロールユニット（４５）は、（ｉ）高圧ガスを収容するガス容器（３４）と、（ｉｉ）外部ガス管（２６）を前記ガス容器に連結するための連結部（２８）を有したインターフェース要素（３０）とを備え、前記ガス管（５，１２）は、（ｉ）前記外科手術用器具を連結するための少なくとも一つの連結部（８）を有したインターフェース要素（６）を備え、前記ＭＲＩ室内に位置する第一端と、（ｉｉ）前記外部ガス管を介して前記ガス容器に連結するための少なくとも一つの連結部（２４）を有したもう一つのインターフェース要素（２０）を備え、前記ＭＲＩ室の外に位置する第二端とから構成される。
さらに、第一の本発明において、リモートコントロールユニット（４５）は、外科用手術器具（２）の前記制御部（７１ａ、７１ｂ、７１ｃ、７１ｄ）からの電子コマンドに応答して前記ガス容器（３４）からのガスを前記外科用手術用器具に供給することにより、前記外科用手術用器具の冷却または加熱の制御操作が可能であるように構成することもできる。
加えて、第一の本発明、および上記の構成において、外科手術用器具（２）は、外科医が握るための保持部材（７２）と保持部材に連結された手術用チップ（７４）とを備え、保持部材（７２）は制御部（７１ａ、７１ｂ、７１ｃ、７１ｄ）を備え、前記制御部は外科医が前記手術用チップを操作するための入力部の機能も備えるように構成しても良い。
また、第二の本発明によれば、ＭＲＩ誘導冷凍外科手術のためのシステムが提供される。このシステムは、（ａ）ＭＲＩマグネット（５０）を備えた患者を収容するためのＭＲＩ室（５４）と、（ｂ）前記ＭＲＩ室の外に配置されて外科手術用器具を遠隔制御するためのリモートコントロールユニット（４５）と、（ｃ）ガス管（５，１２）とからなり、
前記リモートコントロールユニット（４５）は、ｉ）高圧ガスを収容するガス容器（３４）と、ｉｉ）外部ガス管（２６）を前記ガス容器に連結するための連結部（２８）を有したインターフェース要素（３０）とを備え、ガス管（５，１２）は、ｉ）前記外科手術用器具を連結するための少なくとも一つの連結部（８）を有したインターフェース要素（６）を備え、ＭＲＩ室内に位置する第一端と、ｉｉ）外部ガス管を介してガス容器に連結するための少なくとも一つの連結部（２４）を有したもう一つのインターフェース要素（２０）を備え、ＭＲＩ室の外に位置する第二端とを有し、さらに、前記リモートコントロールユニット（４５）は、外科手術用器具が前記ＭＲＩ室内にあるときには、外科手術用器具からの電子コマンド（７１ａ、７１ｂ、７１ｃ，７１ｄ）に応答して外科手術用器具の冷却を可能にすることを特徴とする。
さらに、第三の本発明によれば、ＭＲＩ誘導冷凍外科手術のためのシステムが提供される。このシステムは、（ａ）ＭＲＩマグネット（５０）を備えた患者を収容するためのＭＲＩ室（５４）と、（ｂ）ＭＲＩ室の外に配置されて少なくとも一つの外科手術用器具（２）を遠隔制御するためのリモートコントロールユニット（４５）と、（ｃ）ガス管（５，１２）と、（ｄ）外科医が握るための保持部材（７２）と保持部材に連結された手術用チップ（７４）とを備える外科手術用器具（２）と、を有し、リモートコントロールユニット（４５）は、ｉ）高圧ガスを収容するガス容器（３４）と、ｉｉ）外部ガス管（２６）を前記ガス容器に連結するための連結部（２８）を有したインターフェース要素（３０）と、ｉｉｉ）制御部（４３）とを備え、ガス管（５，１２）は、ｉ）外科手術用器具を連結するための少なくとも一つの連結部（８）を有したインターフェース要素（６）を備え、ＭＲＩ室内に位置する第一端と、ｉｉ）外部ガス管を介してガス容器に連結するための少なくとも一つの連結部（２４）を有したもう一つのインターフェース要素（２０）を備え、ＭＲＩ室の外に位置する第二端とから構成され、外科用手術器具（２）は、保持部材（７２）に外科医が手術用チップを操作するための入力部（７１ａ、７１ｂ、７１ｃ、７１ｄ）を備え、入力部への入力操作により、コントロールユニットの制御部へ操作指示を送り制御部を介して手術用チップを制御する機能とガス容器からのガスを手術用チップに供給する機能とを有する。
さらに、第四の本発明によれば、ＭＲＩ誘導冷凍外科手術のためのシステムが提供される。このシステムは、（ａ）ＭＲＩマグネット（５０）を備えた患者を収容するためのＭＲＩ室（５４）と、（ｂ）ＭＲＩ室の外に配置されたリモートコントロールユニット（４５）と、ガス管（５，１２）と、ＭＲＩ室の内部に配置される外科手術用器具（２）と、を備える外科手術装置と、を有し、リモートコントロールユニット（４５）は、ｉ）高圧ガスを収容するガス容器（３４）と、ｉｉ）外部ガス管（２６）をガス容器に連結するための連結部（２８）を有したインターフェース要素（３０）と、ｉｉｉ）制御部（４３）とを備え、ガス管（５，１２）は、ｉ）外科手術用器具を連結するための少なくとも一つの連結部（８）を有したインターフェース要素（６）を備え、ＭＲＩ室内に位置する第一端と、ｉｉ）外部ガス管を介して前記ガス容器に連結するための少なくとも一つの連結部（２４）を有したもう一つのインターフェース要素（２０）を備え、ＭＲＩ室の外に位置する第二端とを備え、外科用手術器具（２）は、（ｄ）外科医が握るための保持部材（７２）と保持部材に連結された手術用チップ（７４）とを備え、保持部材（７２）には外科医が手術用チップを操作するための入力部（７１ａ、７１ｂ、７１ｃ、７１ｄ）を備え、入力部への入力操作により、リモートコントロールユニットの制御部へ操作指示を送り、制御部を介して外科手術装置の作動を制御するとともに手術用チップの冷却および操作を行う。
【００１２】
前記ガス管が、前記ＭＲＩ室に固定配置されているのが好ましい。
【００１３】
前記ガス管の少なくとも一部が、前記ＭＲＩ室の床下地中を通って設けられているのが好ましい。
【００１４】
前記リモートコントロールユニットが、移動ハウジング（３６）を有するのが好ましい。
【００１５】
前記ガス容器が、前記リモートコントロールユニット内に設けられているのが好ましい。
【００２２】
【発明の実施の形態】
本発明は、ＭＲＩマグネットの影響下において外科医が安全に、そして簡単に冷凍外科手術を行うことが可能な、ＭＲＩ誘導冷凍外科手術のためのシステム及び方法に関する。
【００２３】
本発明による装置及び方法の原理と作動については、図面及びその説明文から明確に理解することができる。
【００２４】
さて、図面を参照する。図１は、本発明によるシステムの好適実施例を示す。
図に示すように、本発明によるシステムは、患者４０を収容するための「開放型」ＭＲＩマグネット５０を含み、このＭＲＩマグネットには、外科医が患者にアクセスするための少なくとも一つ開口部１０がある。マグネット５０は、ＭＲＩマグネット内に概して５と付されたガス管等の電気的な、そして／あるいは機械的な連結ラインの設置を可能にする少なくとも一つのチャネルを含む。図に示すように、連結ライン５は、外科手術用器具を連結するための複数の連結部８を持つインタフェース要素６に終結する。
【００２５】
さらに、患者に手術を施すための複数の冷凍外科手術用部材２が連結部８に連結され、これら手術用部材が、ＭＲＩ室５４の外に配置されたリモート・コントロール・ユニット４５によって遠隔制御されることが好ましい。手術用部材２の各々は、手術用部材を効率的に冷却するために、ジュール・トムソン熱交換体を含むことが好ましい。
【００２６】
ライン５に連結可能な地中連結ライン１２を含む地中通路は、ＭＲＩマグネット５０から、ＭＲＩ室５４の外に配置したコントロール・ユニット４５まで延びる。図に示すように、連結ライン１２は、ＭＲＩ室５４の外に配置した固定リンク・ボックス２０に、第一のセットの連結部２２を介して連結されることが好ましい。
【００２７】
したがって、リンク・ボックス２０は、連結ライン１２のセットを受けるための連結部２２の第一セットと、冷凍外科手術装置のコントロール・ユニット４５から延びるガス管２６のセットを受けるための連結部２４の第二セットとを含む。ガス管２６は、柔軟で、リンク・ボックス２０と、冷凍外科手術装置のコントロール・ユニット４５とに着脱可能に接続されることが好ましい。
【００２８】
コントロール・ユニット４５は、少なくとも一つのガス容器３４を収容するための移動ハウジング３６を含むことが好ましい。このガス容器は手術用部材２に特定なガスを高圧で提供するためのものである。図に示すように、ハウジング３６には、柔軟なガス管２６を、ガス容器３４から延びるガス・ライン３２に連結するための連結部２８を持つインタフェース要素３０がある。ガス容器３４は、アルゴン、窒素、空気、クリプトン、 CF4 、キセノンあるいは N2O 等の冷却ガスを含む。また、ヘリウム等の加熱ガスを提供するために第二のガス容器３４を備えてもよい。
【００２９】
さて、図２を参照する。本発明による冷凍外科手術装置は、ジュール・トムソン熱交換体を用いることが好ましい。
【００３０】
図に示すように、本発明による手術用部材２は、患者の組織を凍らせるための細長い手術用チップ７４を含む。手術用チップ７４には、熱交換体に高圧ガスを提供するための、内部を通って延びる通路７６と、手術用チップ７４の端部に位置するオリフィス７８とがあり、このオリフィスは、用いるガスのタイプに応じて、手術用チップ７４を暖める、あるいは冷やすために、それを通して高圧ガスを通過させるためのものである。冷却用のガスとしては、例えば、アルゴン、窒素、空気、クリプトン、 CF4 、キセノン、あるいは N2O があり、加熱用のガスとしてはヘリウムがある。
【００３１】
アルゴン等の高圧ガスが熱交換体を介して流出し、オリフィス７８を介して拡張するとき、液化して、手術用チップ７４のチャンバ８２内に極低温プールを形成する。この極低温プールが手術用チップ７４の表面８０を効率良く冷却する。手術用チップ７４の表面８０は、効率的に患者の組織を凍らせるために、金属等の熱伝導物質から形成されることが好ましい。ヘリウム等の高圧ガスがオリフィス７８を介して拡張するとき、チャンバ８２が加熱され、手術用チップの表面８０が暖まる。
【００３２】
手術用チップ７４には、手術用チップから大気へガスを排気するための、内部を通って延びる少なくとも一つの排気通路７９があり、図に示すように、通路７６は、通路７９の周りを包む螺旋状の管の形態をとることが好ましい。
【００３３】
さらに、手術用チップ７４には、チャンバ８２内における温度を感知するための、少なくとも一つの熱センサ７５があり、このセンサのワイヤは、排気通路７９を、あるいは別の通路を介して延びる。
【００３４】
手術用チップ７４は、外科医が握るための保持部材７２に連結されるが、この保持部材７２には、外科医が手術用チップ７４を操作するための複数のスイッチ７１ａ、 ７１ｂ、 ７１ｃ及び７１ｄがある。スイッチ７１ａ、 ７１ｂ、 ７１ｃ及び７１ｄには、例えば、オン／オフ、加熱、冷却、冷却あるいは加熱ガスを含む適切なガス容器３４に通路７６を選択的に、そして制御可能に連結することによる所定サイクルの加熱及び冷却等の機能がある。
【００３５】
図１に示すように、手術用部材２の各々は、柔軟な連結ライン４を介して、インタフェース要素６の連結部８に連結されている。手術用部材２の各々は、連結部８に取り付けるための結合部７を含むことが好ましい。
【００３６】
また、排気通路７９が連結ライン４を介して延び、結合部７にある開口を介して排気ガスが排気されることが好ましい。
【００３７】
図１に示すように、ハウジング３６には、マイクロプロセッサ４３、ディスプレイ４２及びキーボード４４が設けられている。マイクロプロセッサ４３は、外科医が提供する所定の操作条件に応じて、冷凍外科手術装置の作動を制御するもので、キーボード４４は、操作条件をプログラミングするために、また選択データを読み込むために用いてもよい。ディスプレイ４２は、各手術用部材２の状態に関するデータ、そして外科手術中の他の更新データを表示するために用いる。さらに、ディスプレイ４２に、特定な患者の病歴に関する情報を提供してもよい。
【００３８】
手術用部材２のスイッチ７１ａ、 ７１ｂ、 ７１ｃ及び７１ｄ（図２）は、マイクロプロセッサ４３に電気的に連結されており、手術用チップ７４の手動制御が可能である。さらに、熱センサ７５も、マイクロプロセッサ４３に電気的に連結されており、チャンバ８２内における温度の連続的な監視及び制御が可能である。チャンバ８２内の温度調節を提供するための好適実施例は、米国特許第５,５４０,０６２号に開示されている。さらに、コントロール・ユニット４５及び手術用部材２を含む本発明による冷凍外科手術装置の特徴は、米国特許第５,５２２,８７０号及び第５,６０３,２２１号に開示されている。
【００３９】
図１に示すように、手術個所を表す画像を表示する従来のＭＲＩディスプレイ５６をＭＲＩ室５４内に配置し、外科医にガイダンスを提供することが好ましい。本発明によれば、ディスプレイ５６は、ビデオ・カードを含み、電気結線（図示せず）を介して、ＭＲＩ室５４の外に配置したマイクロプロセッサ４３に電気的に連結されることが好ましい。この電気結線は、地中ライン１２及びリンク・ボックス２０を介して延びてもよい。このような機器構成は、外部のディスプレイ４２上に表示される画像とまったく同じ画像が外科医に提供されることを可能にするものであり、この画像には、冷凍外科手術装置の作動に関する情報が含まれる。ディスプレイ５６には、第一及び第二のチャネルを介して、外科医が必要な画像を選択し、外科手術の進捗状況を監視することが可能な、スイッチ５７が設けられている。この場合、第一にチャネルはＭＲＩガイダンスを提供し、第二のチャネルは、冷凍外科手術装置に関するその時点の情報を提供する。もう一つの実施例（図示せず）によれば、第二のディスプレイは、外科医が外科手術を監視しながら同時に冷凍外科手術装置の作動を観察することができるように、ＭＲＩ室５４内に設けられる。
【００４０】
【発明の効果】
本発明によるシステム及び方法は、外科医が、従来よりも、さらに安全に、そして簡単にＭＲＩ誘導冷凍外科手術を行うことができるようにするものである。冷凍外科手術装置のコントロール・ユニット４５がＭＲＩ室の外に配置されているため、ＭＲＩマグネットの磁場からの影響がなく、画像への干渉がない。さらに、本発明は、ＭＲＩマグネットが、その中に連結管の設置用チャネルを含み、これによってＭＲＩマグネットに直接的に手術用部材２が接続可能な、新規な構成を開示する。このため、外科医は手術用部材を簡単に、そして安全に扱うことができる。
【００４１】
本発明は、限られた数の実施例について説明したが、本発明に関し、多くの変更、改良及び他の用途が可能であることは明らかである。
【図面の簡単な説明】
【図１】本発明によるＭＲＩ誘導冷凍外科手術システムの概要図である。
【図２】本発明による手術用チップの概略的な側面図であり、長手方向の部分断面を含む。
【符号の説明】
５  連結ライン
２０  リンクボックス
４５  コントロールユニット
５０  ＭＲＩマグネット
５４  ＭＲＩ室
【図１】
0004116721.tif 000002
【図２】
0004116721.tif 000003